(57)【要約】【課題】不正行為等をより有効に防止し得る機能を備えた回胴式遊技機、及び回胴式遊技機に設けられる主基板を提供する。【解決手段】出玉率の設定変更機能を有するスロットマシン１００は、出玉率の設定変更を行うための設定スイッチＢＯ及び設定切替えボタンＣＳと、筐体１０２の奥側に配置されて当該スロットマシン１００の動作を制御する主基板７００とを有しており、設定スイッチＢＯ及び設定切替えボタンＣＳが主基板７００に直付け設置されている。このため、たとえ不正行為者がフロントドアを僅かに開けた状態で不正に操作しようとしても、筐体１０２の奥側の主基板７００上の設定スイッチＢＯや設定切替えボタンＣＳを操作することは極めて困難となる。【選択図】  図１０
2004337271.tif 000002
【特許請求の範囲】
【請求項１】
出玉率の設定変更機能を有する回胴式遊技機であって、
前記出玉率の設定変更を行うための設定スイッチ及び設定切替えボタンと、回胴式遊技機の筐体の奥側に配置されて前記回胴式遊技機の動作を制御する主基板とを備え、
前記設定スイッチ及び設定切替えボタンが、前記主基板に直付け設置されていることを特徴とする回胴式遊技機。
【請求項２】
前記設定スイッチ及び設定切替えボタンが前記主基板の隅部に配置されると共に、該主基板が収納ケースに収納され、かつ該収納ケースの隅部に、前記設定スイッチ及び設定切替えボタンを露出させる開口部が夫々形成されていることを特徴とする請求項１に記載の回胴式遊技機。
【請求項３】
出玉率の設定変更機能を有する回胴式遊技機に設けられて該回胴式遊技機の動作を制御する主基板であって、
前記出玉率の設定変更を行うための設定スイッチ及び設定切替えボタンが直付け設置された形で、回胴式遊技機の筐体の奥側に配置されることを特徴とする回胴式遊技機に設けられる主基板。
【請求項４】
前記設定スイッチ及び設定切替えボタンが隅部に配置された形で、該設定スイッチ及び設定切替えボタンを夫々露出させる開口部を隅部に備えた収納ケースに収納されることを特徴とする請求項３に記載の回胴式遊技機に設けられる主基板。
【発明の詳細な説明】
【０００１】
【発明の属する技術分野】
本発明は、例えばスロットマシン等の回胴式遊技機、及び回胴式遊技機に設けられる主基板に関し、特に不正行為等を防止し得る機能を備えた回胴式遊技機、及び回胴式遊技機に設けられる主基板に関する。
【０００２】
【従来の技術】
近年、遊技場（パチンコホール）にはパチンコ及びスロットマシンとが多数設置されている。これらの遊技機にはホール側で出玉率を調整するための手段が設けられている。
【０００３】
パチンコの場合、釘を絞る（狭める）ことで入賞口への球の入りを調整するようにしている。
またスロットマシン（回胴遊技機）の場合、入賞確率の設定を変更することで調整している。現在のスロットでは、設定は６段階あり、遊技者に不利な設定１から、遊技者に有利な設定６までありホール側ではこの設定を適宜選択することで出玉率を調整している。
【０００４】
【発明が解決しようとする課題】
このような遊技機（スロットマシン）に対し不正行為を働くいわゆる不正行為者が問題となっている。
【０００５】
例えば、法定されている出玉率に、設定切替えボタン等の操作に基づいて設定しておいた適正なスロットマシンに対し、その適正な出玉率とは異なる高確率でゲームを行うことができるように、設定切替えボタン等を不正に操作して、主基板に対する出玉率設定条件を変更し、善良な遊技者を装ってゲームを行う不正行為者の存在が大きな問題となっている。即ち、当該不正行為者が、リールユニットや主基板等を収容する筐体内の比較的前部側に設置されている設定切替えボタンを、筐体前部を閉塞しているフロントドアを僅かに開けて不正に操作することで、上記法定設定事項を不正に変更するような問題が発生している。
【０００６】
このため、より確実に不正行為者からの不正行為を排除し得るスロットマシン等の回胴式遊技機の開発が望まれている。
【０００７】
本発明はこうした従来の問題点に鑑みてなされたものであり、不正行為等をより有効に防止し得る機能を備えた回胴式遊技機、及び回胴式遊技機に設けられる主基板を提供することを目的とする。
【０００８】
【課題を解決するための手段】
請求項１記載の発明は、出玉率の設定変更機能を有する回胴式遊技機であって、
前記出玉率の設定変更を行うための設定スイッチ及び設定切替えボタンと、回胴式遊技機の筐体の奥側に配置されて前記回胴式遊技機の動作を制御する主基板とを備え、
前記設定スイッチ及び設定切替えボタンが、前記主基板に直付け設置されていることを特徴とする。
【０００９】
請求項１記載の発明によれば、設定スイッチ及び設定切替えボタンが、回胴式遊技機の筐体の奥側に配置された主基板に直付け設置されるので、たとえ不正行為者が、遊技場の係員等に発見されないようにフロントドアを僅かに開けた状態で設定スイッチや設定切替えボタンを不正に操作しようとしても、筐体奥側の主基板上の設定スイッチや設定切替えボタンを操作することは極めて困難となる。また、設定スイッチ及び設定切替えボタンが主基板に直付けされることにより、従来方式での設定スイッチのＯＮ／ＯＦＦ信号を主基板に伝達するケーブルや、設定切替えボタンを主基板側に接続するためのケーブルが不要になるので、構造がシンプルになると共に、当該ケーブルを針金等の治具でショートさせるような不正行為を確実に防止することができる。これにより、不正行為者からの不正行為をより確実に排除し得る回胴式遊技機が実現する。
【００１０】
請求項２記載の発明は、請求項１記載の回胴式遊技機の発明において、前記設定スイッチ及び設定切替えボタンが前記主基板の隅部に配置されると共に、該主基板が収納ケースに収納され、かつ該収納ケースの隅部に、前記設定スイッチ及び設定切替えボタンを露出させる開口部が夫々形成されていることを特徴とする。
【００１１】
請求項２記載の発明によれば、設定スイッチ及び設定切替えボタンが主基板の隅部に夫々配置され、これら設定スイッチ及び設定切替えボタンを露出させる開口部が収納ケースの隅部に夫々形成されるので、通常は中央付近にＲＯＭ部品が実装される主基板の収納後に封印される収納ケースの、当該ＲＯＭ部品から可及的に離れた位置に上記開口部が形成されることになり、ＲＯＭ部品に対する不正行為を未然に防止する上で極めて好ましい状況が得られる。また、設定スイッチの鍵穴に鍵を挿入して回動操作する際の押圧力、或いは設定切替えボタンを操作する際の押圧力を、例えば主基板の中央部などではなく、当該主基板の隅部で受けることができるので、主基板の中央部に応力が集中するような不都合を確実に回避できると共に、収納ケースにおいて主基板の裏面を担持しているリブや、通常は隅部に配置されるネジ止め用ボス部等により、上記押圧力に対抗する適切な反力を得ることができる。
【００１２】
請求項３記載の発明は、出玉率の設定変更機能を有する回胴式遊技機に設けられて該回胴式遊技機の動作を制御する主基板であって、
前記出玉率の設定変更を行うための設定スイッチ及び設定切替えボタンが直付け設置された形で、回胴式遊技機の筐体の奥側に配置されることを特徴とする。
【００１３】
請求項３記載の発明によれば、設定スイッチ及び設定切替えボタンが直付け設置された主基板が回胴式遊技機の筐体の奥側に配置されるので、たとえ不正行為者が、遊技場の係員等に発見されないようにフロントドアを僅かに開けた状態で設定スイッチや設定切替えボタンを不正に操作しようとしても、筐体奥側の主基板上の設定スイッチや設定切替えボタンを操作することが極めて困難となり、従って、不正行為者からの不正行為をより確実に排除し得る回胴式遊技機のための主基板が実現する。また、設定スイッチ及び設定切替えボタンが主基板に直付けされることにより、従来方式での設定スイッチのＯＮ／ＯＦＦ信号を主基板に伝達するケーブルや、設定切替えボタンを主基板側に接続するためのケーブルが不要になるので、回胴式遊技機の構造をシンプル化できると共に、当該ケーブルを針金等の治具でショートさせるような不正行為を確実に防止することができる。これにより、不正行為者からの不正行為をより確実に排除し得る、回胴式遊技機に設けられる主基板が実現する。
【００１４】
請求項４記載の発明は、請求項３記載の回胴式遊技機に設けられる主基板の発明において、前記設定スイッチ及び設定切替えボタンが隅部に配置された形で、該設定スイッチ及び設定切替えボタンを夫々露出させる開口部を隅部に備えた収納ケースに収納されることを特徴とする。
【００１５】
請求項４記載の発明によれば、設定スイッチ及び設定切替えボタンが主基板の隅部に配置され、収納ケースは当該設定スイッチ及び設定切替えボタンを夫々露出させる開口部を隅部に備えるので、通常は中央付近にＲＯＭ部品が実装される主基板の収納後に封印される収納ケースの、当該ＲＯＭ部品から可及的に離れた位置に上記開口部が形成されることになり、ＲＯＭ部品に対する不正行為を未然に防止する上で極めて好ましい状況が得られる。また、設定スイッチの鍵穴に鍵を挿入して回動操作する際の押圧力、或いは設定切替えボタンを操作する際の押圧力を、例えば主基板の中央部などではなく、当該主基板の隅部で受けることができるので、主基板の中央部に応力が集中するような不都合を確実に回避できると共に、収納ケースにおいて主基板の裏面を担持しているリブや、通常は隅部に配置されるネジ止め用ボス部等により、上記押圧力に対抗する適切な反力を得ることができる。
【００１６】
【発明の実施の形態】
以下、本発明の回胴式遊技機の実施形態として、遊戯場等に設置されるスロットマシンについて図１ないし図１２を参照して説明する。
【００１７】
なお、図１は本スロットマシン１００の外部構造を表した平面図、図２は本スロットマシン１００の斜視図、図３は本スロットマシン１００の内部構造を表した平面図、図４は本スロットマシン１００に内蔵される主基板の全体を概念的に表した平面図、図５は設定スイッチの説明図、図６は設定切替えボタンの説明図、図７は当該主基板及びその収納ケースを表した斜視図、図８はこれら主基板及び収納ケースの隅部及びその近傍を概念的に表した平面図、図９はケースベースの隅部及びその近傍を概略的に表した平面図、図１０は図９の矢印ＶＩＩＩ−ＶＩＩＩ線に沿った、収納ケースの隅部及びその近傍を概略的に表す側面断面図、図１１は本スロットマシン１００に設けられている制御システムの構成を表したブロック図である。なお図２において、図１に示す回胴リールＲ１，Ｒ２，Ｒ３、透過窓ＷＤ及び放音部１０５ｃは図示を省略している。
【００１８】
図１及び図２において、本スロットマシン１００は、遊技者に面するフロントドア１０１と、フロントドア１０１が開閉可能に取り付けられた後述の筐体１０２とを備えて構成されている。
【００１９】
フロントドア１０１は、上部パネル部１０３と中部パネル部１０４と下部パネル部１０５とを備え、全体的に金属製のフレーム（図示略）と硬質プラスチックで成形された前面パネルとで形成されることによって、機械的に強固な構造を有している。
【００２０】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄとが設けられている。
【００２１】
中部パネル部１０４には、複数個（本実施形態では３個）の回胴リールＲ１，Ｒ２，Ｒ３を備えた回胴リール装置２００が設けられると共に、回胴リール装置２００の側方に演出用ランプ１０４ａ，１０４ｂが設けられている。
【００２２】
なお、回胴リールＲ１，Ｒ２，Ｒ３の前方には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００２３】
更に、中部パネル部１０４の下端には遊技者が操作するための操作部１０４ｃが設けられ、当該操作部１０４ｃには、遊技用メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。
【００２４】
下部パネル部１０５には、本スロットマシン１００のゲーム内容に関連した画像等（図示略）が描かれており、遊技者の獲得したメダルを払い出すための排出口１０５ａ及び受皿１０５ｂと、スピーカが取り付けられた放音部１０５ｃが設けられている。
【００２５】
次に、図３を参照して、フロントドア１０１の裏面構造と、筐体１０２の内部構造を概説する。なお、図３はフロントドア１０１を開錠して筐体１０２から開いた状態を表している。
【００２６】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられると共に、演出表示装置１０３ｄの裏面側にサブ制御基板３００が取り付けられている。
【００２７】
演出表示装置１０３ｄ及びサブ制御基板３００の下方には、上述の透過窓ＷＤと中部パネル部１０４のパネル面とが形成された略長方形の枠体１０４ｄが取り付けられている。
【００２８】
枠体１０４ｄの下方には、メダル投入部ＭＤより投入される投入物を正規の遊技用メダルか異物か判別して振り分ける振分機構Ｇ０と、振分機構Ｇ０で振り分けられた遊技用メダルを筐体１０２側に設けられているホッパ装置ＨＰへ案内するガイド部材Ｇ１と、振分機構Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００２９】
更に、上述の枠体１０４ｄと振分機構Ｇ０との間の領域に長尺状の中央表示基板４００が取り付けられ、当該中央表示基板４００の裏面側の一端に、設定ボタンＣＳと、数字の０から６までのセグメント表示を行う発光ダイオードで形成された設定表示素子ＣＴが設けられている。
【００３０】
筐体１０２内には、主電源装置ＰＷＵと、ホッパ装置ＨＰから溢れた遊技用メダルを収容するための補助貯留部ＳＨＰと、上述の透過窓ＷＤに対向する回胴リールＲ１，Ｒ２，Ｒ３を備えた回胴リール装置２００が設けられる他、主電源装置ＰＷＵの側面に電源装置基板５００、回胴リール装置２００の上端に回胴装置基板６００、回胴リール装置２００の上方に主基板７００、筐体１０２の内壁の一端に外部集中端子装置としての外部集中端子基板８００が夫々取り付けられている。即ち、上記主基板７００は、本スロットマシン（回胴式遊技機）１００の筐体１０２の上部奥側に配置されており、後述のフロントドア１０１がたとえ僅かに不正に開放された状態であっても、外部から極めて操作し難い位置にある。なお、後に詳述するが、当該主基板７００における図中の左隅部には、設定スイッチＢＯと設定切替えボタンＣＳが直付け設置（直付け実装）されている。
【００３１】
ここで、上述の主基板７００と、サブ制御基板３００、回胴装置基板６００、中央表示基板４００、電源装置基板５００及び外部集中端子基板８００は、何れも導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、特に、主基板７００とサブ制御基板３００と外部集中端子基板８００は、夫々硬質プラスチックの収納ケース内に個別に収納されたユニット構造となっている。
【００３２】
更に、図１１のブロック図を参照して制御システムの構成を述べると、主基板７００は、スロットマシン１００の動作全体を管理するシステムプログラム及びスロットマシンゲーム用の実行プログラムが予め記憶されている半導体メモリ等で形成された記憶部と、これらのプログラムを実行するマイクロプロセッサ（ＭＰＵ）とを有し、上述のマイクロプロセッサに設けられている入力ポート及び出力ポートと残余の基板３００，６００，４００，５００，８００との間が配線ケーブルによって配線接続されている。また主基板７００には、設定スイッチＢＯと設定切替えボタンＣＳが直付けされる形で実装されている。よって設定変更処理の信号は主基板上で処理される。
【００３３】
更に又、演出用スピーカＳＲ，ＳＬ，ＳＷと演出用ランプ１０３ａ，１０４ａ，１０４ｂと演出表示装置１０３ｄが配線ケーブルを介してサブ基板３００に配線接続され、主基板７００中の上記マイクロプロセッサから供給される演出制御信号に従って、サブ基板３００に設けられている電気回路がこれら演出用スピーカＳＲ，ＳＬ，ＳＷと演出用ランプ１０３ａ，１０４ａ，１０４ｂと演出表示装置１０３ｄを駆動することにより、遊技者の視覚に訴える演出表示を行う。
【００３４】
回胴装置基板６００は、電動モータによって回転駆動される回胴リールＲ１，Ｒ２，Ｒ３を備えた回胴リール装置２００が配線接続されており、主基板７００中の上記マイクロプロセッサから供給されるリール制御信号に従って、上述の電動モータを制御することにより、回胴リールＲ１，Ｒ２，Ｒ３の回転と制動及び停止の制御を行う。
【００３５】
中央表示基板４００には、振分機構Ｇ０、ベットボタンＢ１，Ｂ２，Ｂ３、スタートレバーＳＴ、ストップボタンＳＰ１，ＳＰ２，ＳＰ３、設定表示素子ＣＴが配線接続されており、振分機構Ｇ０から出力されるメダル検出信号と、ベットボタンＢ１，Ｂ２，Ｂ３とスタートレバーＳＴ及びストップボタンＳＰ１，ＳＰ２，ＳＰ３から夫々出力されるオンオフ信号を主基板７００中の上記マイクロプロセッサへ転送すると共に、マイクロプロセッサから供給されるセグメント表示信号に基づいて、設定表示素子ＣＴに０から６までの数字を表示させる。
【００３６】
電源装置基板５００には、電源スイッチＢＱ、ホッパ装置ＨＰ、電源装置ＰＷＵが配線接続され、電源スイッチＢＱから出力されるオンオフ信号を主基板７００中の上記マイクロプロセッサへ転送する。
なお、主基板７００に実装した上述の設定スイッチＢＯ及び設定切替えボタンＣＳからの信号は、主基板７００中の上記マイクロプロセッサへ直接的に送られる。
更に、電源装置基板５００には、電源装置ＰＷＵで発生される各種電源電圧をホッパ装置ＨＰその他の各所に配電する配電回路が形成されており、かかる配電回路からスロットマシン１００の動作に必要な電源供給が行われている。
【００３７】
次に上述のように構成されるスロットマシン１００において、本発明の特徴である設定スイッチＢＯ及び設定切替えボタンＣＳの配置構造について説明する。即ち、上述した主基板７００には、図４に示すように、導電性配線パターンの形成された絶縁性樹脂基板上の中央付近に、制御プログラムを格納したＲＯＭ装置７０１が搭載されている。更に、主基板７００におけるＲＯＭ装置７０１周辺には、集積回路装置（ＩＣ）７０２やトランジスタ、抵抗７０３、コンデンサ等の電子部品が搭載されている。当該主基板７００の外縁部近傍にはコネクタ７０４，７０６，７０５が配線接続されており、更に主基板７００の図中の左下方の隅部Ｃｏには、設定スイッチＢＯ及び設定切替えボタンＣＳが直付け設置（直付け実装）されている。
【００３８】
次に上記設定スイッチＢＯを図５を用いて詳しく説明する。
図５（ａ）は設定スイッチＢＯの斜視図、図５（ｂ）は正面図、図５（ｃ）は下面図である。
図に示すように、直方体状のベースフレームＢＯ１上に設定キーＢＯ２が挿入されるシリンダ部ＢＯ３が一体的に構成されている。また、ベースフレームＢＯ１の四方四隅には、該設定スイッチＢＯを主基板７００に支持させるための脚部ＢＯ４が立設しており、該脚部ＢＯ４を主基板７００に挿入してカシメ固定することで設定スイッチＢＯは主基板７００に装着される。
さらに、ベースフレームＢＯ１内から下方に接続端子ＢＯ５が突出しており、該接続端子ＢＯ５が主基板７００上のプリント基板に接触して通電している。このようにして設定スイッチＢＯは、主基板７００に直付けされるようになる。
【００３９】
さらに上記設定切替えボタンＣＳを図６を用いて詳しく説明する。
図６（ａ）は設定切替えボタンＣＳの斜視図、図６（ｂ）は正面図、図６（ｃ）は下面図である。
図に示すように、設定切替えボタンＣＳは、直方体状のベースフレームＣＳ１上にボタンハウジングＣＳ２が一体的に構成されている。また、ベースフレームＣＳ１の四方四隅には、該設定切替えボタンＣＳを主基板７００に支持させるための脚部ＣＳ３が立設しており、該脚部ＣＳ３を主基板７００に挿入してカシメ固定することで設定切替えボタンＣＳは主基板７００に装着される。
さらに、ベースフレームＣＳ１内から下方に接続端子ＣＳ４が突出しており、該接続端子ＣＳ４が主基板７００上のプリント基板に接触して通電している。このようにして設定切替えボタンＣＳは、主基板７００に直付けされるようになる。
【００４０】
上述した設定スイッチＢＯは、主電源の投入前に、主基板７００を収納する収納ケース９００から露出している鍵穴に鍵を差し込んで所定方向に回動操作することで、確率モード設定の変更の準備をするためのものである。また、前述した設定切替えボタンＣＳは、設定スイッチＢＯによる上記準備状態で、押圧操作される毎に、段階的に異なる確率モードを順次設定する。この設定は、例えばスタートレバーＳＴが操作されることで確定される。
【００４１】
上記収納ケース９００は、硬質プラスチックからなり、図７に示すように、ケースベース９０１と、ケースベース９０１の図中上端部のヒンジ部９０７を介して当該ケースベース９０１に対して回動自在に支持されたケースカバー９０２とから構成されており、内包する主基板７００よりやや大きいサイズを有している。当該収納ケース９００は、ケースカバー９０２がケースベース９０１側に回動されて固定突起９０８で係止され、内部の主基板７００を閉塞した状態で、不図示のワンウエイネジによりケースカバー９０２とケースベース９０１とが互いにカシメ固定され、この状態で封印される。
【００４２】
また、収納ケース９００は、図７及び図８に示すように、内包する主基板７００上のコネクタ７０４，７０６，７０５に夫々対応する位置に、開口部９０９，９０５，９０６を有すると共に、主基板７００上の設定スイッチＢＯ及び設定切替えボタンＣＳに対応する位置に、開口部９１０、９１１を有している。これら開口部９１０、９１１は、設定スイッチＢＯの鍵穴ｋｈと設定切替えボタンＣＳのボタン頭部を最小限露出できる程度のサイズに形成されている。
【００４３】
更に、図９に示すように、ケースベース９０１には、主基板７００を支持する多数のリブ９１２が該主基板の外周に沿って設けられており、リブ９１２が交差する図９における左方下部（つまり隅部Ｃｏ）には、主基板７００に実装される設定スイッチＢＯ及び設定切替えボタンＣＳが配置される。
図１０は図９の矢印ＶＩＩＩ−ＶＩＩＩ線に沿って断面した状態を示しており、設定スイッチＢＯ及び設定切替えボタンＣＳが配置される様子が同図から理解できる。図９及び図１０中の符号９１３は、上記隅部Ｃｏに設置されたネジ止め用ボス部であり、当該ボス部９１３にはネジ（ビス）を介して主基板７００の隅部が固定される。
また図９には、設定スイッチＢＯから突出する接続端子ＢＯ５、及び設定切替えボタンＣＳから突出する接続端子ＣＳ４がそれぞれ主基板７００に取り付けられている状態を示している。図に示すように、接続端子ＣＳ４は、基板７００に形成された取付孔に挿入され、ハンダ５１、ハンダ５４によって固定されている。
【００４４】
本実施形態によれば、設定スイッチＢＯ及び設定切替えボタンＣＳが、本スロットマシン１００の筐体１０２の奥側に配置された主基板７００に直付け設置される（つまり、当該スイッチＢＯ及びボタンＣＳを直付け設置した主基板７００が上記筐体１０２の奥側に配置される）ので、たとえ不正行為者が、遊技場の係員等に発見されないようにフロントドア１０１を僅かに開けた状態で設定スイッチＢＯまたは設定切替えボタンＣＳを不正に操作しようとしても、筐体１０２の奥側の主基板７００上にある当該スイッチＢＯまたはボタンＣＳを操作することは極めて困難となる。
【００４５】
また、設定スイッチＢＯ及び設定切替えボタンＣＳが主基板７００に直付けされることにより、従来方式での設定変更の信号を主基板７００に伝達するケーブル（図示せず）が不要になるので、構造がシンプルになると共に、当該ケーブルを針金等の治具でショートさせるような不正行為を確実に防止することができる。これにより、不正行為者からの不正行為をより確実に排除し得るスロットマシン１００が実現する。
【００４６】
そして、設定スイッチＢＯ及び設定切替えボタンＣＳが主基板７００の隅部Ｃｏに配置され、当該スイッチＢＯ及びボタンＣＳを露出させる開口部９１０、９１１が、主基板７００の隅部Ｃｏに対応する収納ケース９００の隅部に形成されるので、通常は中央付近にＲＯＭ装置７０１が実装される主基板７００の収納後に封印される収納ケース９００の、当該ＲＯＭ装置７０１から可及的に離れた位置に開口部９１０、９１１が形成されることになり、ＲＯＭ装置７０１に対する不正行為を未然に防止する上で極めて好ましい状況が得られる。更に、開口部９１０、９１１が、ケースカバー９０２におけるコネクタ７０５，７０６用の開口部９０６，９０５の形成部近傍に形成されるので、例えばケースカバー形成用の金型に対する設計変更が僅かで足り、従って製造コストの上昇を抑えつつ、設定スイッチＢＯ及び設定切替えボタンＣＳの実装を実現できる。
【００４７】
また、設定スイッチＢＯの操作時、設定切替えボタンＣＳの押打による押圧力を、例えば主基板７００の中央部などではなく、当該主基板７００の隅部Ｃｏで受けることができるので、主基板７００の中央部に応力が集中するような不都合を確実に回避できると共に、収納ケース９００において主基板７００の裏面を担持しているリブ９１２や、隅部（Ｃｏ）に配置されるネジ止め用ボス部９１３等により、上記押圧力に対抗する適切な反力を得ることができる。
【００４８】
なお、本実施の形態では、設定スイッチＢＯ、設定切替えボタンＣＳを、主基板７００（収納ケース９００）における図中の左方下部に設置したが、設置位置はこれに限定されるものではなく、図中の左方上部、右方下部、右方上部のいずれであっても良いことは勿論である。
【００４９】
次に、上述のように構成される主基板７００にての設定変更手順を図１２を用いて説明する。
管理者がスロットマシン１００の出玉率を設定変更する場合、フロントドア１０１を開錠し、電源装置基板５００に設けられている電源スイッチＢＱをオフ操作する（ステップＳ１０１）。
【００５０】
次に、電源スイッチＢＱをオフの状態にしたままで、主基板７００上の設定スイッチＢＯの鍵穴に所定の鍵（キー）を挿入し、当該鍵を所定方向（例えば、時計回り方向）へ所定角度回すことにより、設定スイッチＢＯをオン操作する（ステップＳ１０１）。
【００５１】
管理者がステップＳ１００，Ｓ１０１の操作を行うと、主基板７００に設けられているマイクロコンピュータは、スロットマシン１００を設定変更モードに切り替える。
【００５２】
次に、管理者が電源スイッチＢＱをオン操作して元に戻すと（ステップＳ１０２）、電源装置基板５００が、スタンバイの状態からスロットマシン１００を動作させるための通常の給電動作を開始する。
【００５３】
次に、管理者が主基板７００上に設けられている設定切替えボタンＣＳを適宜オン操作すると（ステップＳ１０３）、主基板７００側のマイクロコンピュータが、そのオン操作される毎に設定表示素子ＣＴに表示させる数値を１から６の範囲で１ずつ増加させ、数値６に達すると再び１から増加させて、いわゆる繰り返し表示を行わせる。
この際、設定変更処理は主基板上で行われる。そのため従来のように、中央制御板から主基板へ信号を伝達するケーブルを用いてないので、このケーブルへの不正を防止することができる。
【００５４】
次に、管理者が設定表示素子ＣＴに所望の数値を表示させた状態で、操作部１０４ｃに設けられているスタートレバーＳＴをオン操作すると（ステップＳ１０４）、主基板７００中の上記マイクロコンピュータが、その数値に対応している出玉率を内部設定する。
【００５５】
次に、管理者が設定スイッチＢＯをオフ操作、すなわち上述の鍵を反時計回り方向へ回して戻すと（ステップＳ１０５）、主基板７００中のマイクロコンピュータが上述の内部設定した出玉率を確定すると共に、設定変更モードを終了する。
【００５６】
そして、管理者が上述の鍵を設定スイッチＢＯの鍵穴から抜いて、フロントドア１０１を筐体１０２側へ施錠することによって、上述の確定した出玉率でストッロマシンゲームを行うことを可能にする。
【００５７】
上述したように本発明によると、設定スイッチＢＯ及び設定切替えボタンＣＳが主基板７００上に直付けされているため、従来方式での設定変更信号を主基板７００に伝達するケーブルが不要になるので、構造がシンプルになると共に、当該ケーブルを針金等の治具でショートさせるような不正行為を確実に防止することができる。また、前記設定スイッチＢＯ及び設定切替えボタンＣＳが、主基板７００を支持する強度が高い隅に配置されていることから、設定スイッチＢＯ及び設定切替えボタンＣＳの操作による主基板７００の破損を防ぐことができる。
さらに、該主基板７００が筐体奥側に配置されていることから、遊技場の係員等に発見されないようにフロントドアを僅かに開けた状態で設定切替を不正に操作することは極めて困難となる
【００５８】
なお本実施形態において、例えば図７を参照するとき、少なくともケースカバー９０２の開口部９１０、９１１をその上部から覆うカバー部材を別途設けることができる。その場合、当該カバー部材は、収納ケース９００と同様の硬質プラスチック等から構成することができる。このようにすることで、設定切替えボタンＣＳを露出している開口部９１０、９１１を確実にカバーし、不正行為者がスイッチＢＯ及びボタンＣＳと開口部９１０、９１１との間の僅かな隙間から針金等の治具を挿入して不正を働こうとすることを、確実に防止することができる。
【００５９】
【発明の効果】
以上説明したように、本発明の回胴式遊技機によれば、設定スイッチ及び設定切替えボタンが、回胴式遊技機の筐体の奥側に配置された主基板に直付け設置されるので、たとえ不正行為者が、遊技場の係員等に発見されないようにフロントドアを僅かに開けた状態で設定スイッチや設定切替えボタンを不正に操作しようとしても、筐体奥側の主基板上の設定スイッチや設定切替えボタンを操作することは極めて困難となる。また、設定スイッチ及び設定切替えボタンが主基板に直付けされることにより、従来方式での設定スイッチのＯＮ／ＯＦＦ信号を主基板に伝達するケーブルや、設定切替えボタンを主基板側に接続するためのケーブルが不要になるので、構造がシンプルになると共に、当該ケーブルを針金等の治具でショートさせるような不正行為を確実に防止することができる。これにより、不正行為者からの不正行為をより確実に排除し得る回胴式遊技機が実現する。
【００６０】
また、本発明の回胴式遊技機に設けられる主基板によれば、設定スイッチ及び設定切替えボタンが直付け設置された主基板が回胴式遊技機の筐体の奥側に配置されるので、たとえ不正行為者が、遊技場の係員等に発見されないようにフロントドアを僅かに開けた状態で設定スイッチや設定切替えボタンを不正に操作しようとしても、筐体奥側の主基板上の設定スイッチや設定切替えボタンを操作することが極めて困難となり、従って、不正行為者からの不正行為をより確実に排除し得る回胴式遊技機のための主基板が実現する。また、設定スイッチ及び設定切替えボタンが主基板に直付けされることにより、従来方式での設定スイッチのＯＮ／ＯＦＦ信号を主基板に伝達するケーブルや、設定切替えボタンを主基板側に接続するためのケーブルが不要になるので、回胴式遊技機の構造をシンプル化できると共に、当該ケーブルを針金等の治具でショートさせるような不正行為を確実に防止することができる。これにより、不正行為者からの不正行為をより確実に排除し得る、回胴式遊技機に設けられる主基板が実現する。
【図面の簡単な説明】
【図１】本発明の実施形態に係るスロットマシンの外観構造を概略的に表した平面図である。
【図２】図１に示したスロットマシンの斜視図である。
【図３】図１に示したスロットマシンの内部構造を概略的に表した平面図である。
【図４】図１ないし図３に示したスロットマシンに内蔵される主基板の全体を概念的に表した平面図である。
【図５】（ａ）設定スイッチの斜視図である。
（ｂ）設定スイッチの正面図である。
（ｃ）設定スイッチの下面図である。
【図６】（ａ）設定切替えボタンの斜視図である。
（ｂ）設定切替えボタンの正面図である。
（ｃ）設定切替えボタンの下面図である。
【図７】図４に示した主基板、及びその収納ケースを表した斜視図である。
【図８】図７に示した主基板及び収納ケースの隅部及びその近傍を概念的に表した平面図である。
【図９】図７に示したケースベースの隅部及びその近傍を概略的に表した平面図である。
【図１０】図９の矢印ＶＩＩＩ−ＶＩＩＩ線に沿った、収納ケースの隅部及びその近傍を概略的に表す側面断面図である。
【図１１】図１ないし図３に示したスロットマシンに設けられている制御システムの構成を表したブロック図である。
【図１２】出玉率を設定変更する際の操作手順を説明するためのフローチャートである。
【符号の説明】
５０，５３…接続用突起
５１，５４…ハンダ部
１００…スロットマシン（回胴式遊技機）
１０２…筐体
７００…主基板
９００…収納ケース
９０１…ケースベース
９０２…ケースカバー
９１０，９１１…開口部
ＢＯ…設定スイッチ
Ｃｏ…隅部
ＣＳ…設定切替えボタン
【図１】
2004337271.tif 000003
【図２】
2004337271.tif 000004
【図３】
2004337271.tif 000005
【図４】
2004337271.tif 000006
【図５】
2004337271.tif 000007
【図６】
2004337271.tif 000008
【図７】
2004337271.tif 000009
【図８】
2004337271.tif 000010
【図９】
2004337271.tif 000011
【図１０】
2004337271.tif 000012
【図１１】
2004337271.tif 000013
【図１２】
2004337271.tif 000014